(57)【特許請求の範囲】
【請求項１】
錠ケースに、デッドハブの回動により出没されるデッドボルトと、ラッチバネにより常時突出方向に付勢されたラッチボルトと、デッドボルトとラッチボルトの作動状態を検出するスイッチと、該スイッチをオン又はオフさせるスイッチ操作体とを内装した扉錠であって、
前記デットボルトとラッチボルトとは、スイッチ操作体の一端をラッチボルトのロッキングピースまたはラッチ柄の係合溝に接続すると共に、スイッチ操作体の他端をデッドボルトに形成した開口部に係合したスイッチ操作体を介して連係してあり、また、前記スイッチは、デッドボルトが後退した解錠状態時にはラッチボルトの作動を検出し、デッドボルトが突出した施錠状態時にはラッチボルトの作動を検出しないようにしてあることを特徴とする扉錠。
【請求項２】
扉枠には開放力付与装置を設け、この開放力付与装置には前記スイッチに接続した、けり出し中及び開放力付与装置確認スイッチを設けてある請求項１の扉錠。
【請求項３】
ラッチバネにより常時突出方向に付勢され、かつ反転できるようにした反転式ラッチボルトと、該ラッチボルトの施錠時に反転を阻止するロッキングーピースと、ロッキングーピースの後端部に形成した係合部を上下動することによりロッキングーピースによる反転式ラッチボルトの反転を阻止又は解除できるようにしたスライダーと、スライダーを上下動するための作動部を作動する把手と、前記ロッキングーピースの作動に連動してスイッチのアクチュエータを押し又は離間するようにしたスイッチ操作体とを備えてなる請求項１または２の扉錠。
【請求項４】
ラッチバネにより常時突出方向に付勢されたラッチボルトと、ハブ孔に嵌挿した操作軸を回動することにより、ラッチボルトに形成した被係合部に係合部を係合してラッチボルトを後退できるようにしたラッチハブと、前記ラッチハブの作動に連動してスイッチのアクチュエータを押し又は離間するようにしたスイッチ操作体とを備えてなる請求項１または２の扉錠。
【発明の詳細な説明】
【０００１】
【発明の属する技術分野】
本発明は、デッドボルトを後退した解錠状態時のみラッチボルトの作動を検出するスイッチを設けて、ラッチボルトの作動状態の検出をデッドボルトの施解錠状態に連係して行なえるようにした扉錠に関する。
【０００２】
【従来の技術】
従来より、この種の扉錠では、ラッチボルトの突出でオンとなるスイッチ、デッドボルトの突出でオンとなるスイッチ及びデッドボルトの後退でオフとなるスイッチの如く、ラッチボルト専用のスイッチやデッドボルト専用のスイッチをそれぞれ設け、各スイッチにより該当するラッチボルト又はデッドボルトの作動状態の検出を合わせて電気的に処理していた。つまり、従来のスイッチは、ラッチボルトのみの作動状態の検出スイッチ、又はデッドボルトのみの作動状態の検出スイッチであって、ラッチボルトとデッドボルトの両方の作動状態を連係させたスイッチではなかった。
【０００３】
【発明が解決しようとする課題】
すなわち、従来の扉錠では、ラッチボルトとデッドボルトの両方の作動状態を連係させたスイッチではなく、前述したように、ラッチボルト専用のスイッチやデッドボルト専用のスイッチを複数個設けるものであるため、スイッチの個数が多くなり費用が高価となる上に、各スイッチのオン・オフにより総消費電力量が多くなるという問題があった。
【０００４】
本発明は、上記従来の欠点を解消しようとするものであって、デッドボルトが後退した解錠状態時のみラッチボルトの作動を検出するスイッチを設けて、スイッチの個数を少なくして安価とするとともに、上記スイッチを必要なときだけ働かせることにより消費電力量を節減させるばかりか、スイッチを作動することにより扉を開ける際の開放力付与装置を補助するのに使用したり、前記スイッチに警報手段を接続することにより破錠行為に対する防犯装置に使用したりすることができる扉錠を提供することを目的とする。
【０００５】
【課題を解決するための手段】
上記目的を達成するため、本発明の請求項１の扉錠は、錠ケースに、デッドハブの回動により出没されるデッドボルトと、ラッチバネにより常時突出方向に付勢されたラッチボルトと、デッドボルトとラッチボルトの作動状態を検出するスイッチと、該スイッチをオン又はオフさせるスイッチ操作体とを内装した扉錠であって、前記デットボルトとラッチボルトとは、スイッチ操作体の一端をラッチボルトのロッキングピースまたはラッチ柄の係合溝に接続すると共に、スイッチ操作体の他端をデッドボルトに形成した開口部に係合したスイッチ操作体を介して連係してあり、また、前記スイッチは、デッドボルトが後退した解錠状態時にはラッチボルトの作動を検出し、デッドボルトが突出した施錠状態時にはラッチボルトの作動を検出しないようにしてあることを特徴とする。
【０００６】
請求項２の扉錠は、前記請求項１において、扉枠には開放力付与装置を設け、この開放力付与装置には前記スイッチに接続した、けり出し中及び開放力付与装置確認スイッチを設けてある。
【０００７】
請求項３の扉錠は、前記請求項１または２において、ラッチバネにより常時突出方向に付勢され、かつ反転できるようにした反転式ラッチボルトと、該ラッチボルトの施錠時に反転を阻止するロッキングーピースと、ロッキングーピースの後端部に形成した係合部を上下動することによりロッキングーピースによる反転式ラッチボルトの反転を阻止又は解除できるようにしたスライダーと、スライダーを上下動するための作動部を作動する把手と、前記ロッキングーピースの作動に連動してスイッチのアクチュエータを押し又は離間するようにしたスイッチ操作体とを備えてなるものである。
【０００８】
請求項４の扉錠は、前記請求項１または２において、ラッチバネにより常時突出方向に付勢されたラッチボルトと、ハブ孔に嵌挿した操作軸を回動することにより、ラッチボルトに形成した被係合部に係合部を係合してラッチボルトを後退できるようにしたラッチハブと、前記ラッチハブの作動に連動してスイッチのアクチュエータを押し又は離間するようにしたスイッチ操作体とを備えてなる。
【０００９】
【発明の実施の形態１】
本発明の実施の形態の第１例を図１〜図６に基づいて以下に説明する。
図５は本発明の扉錠を開放力付与装置つきの外開き扉に取り付けて室内側から見た正面図、図６は図５の平面図である。
図５と図６に示すように、１は扉、２は建築物の開口部に取り付けたサッシなどからなる扉枠で、扉１はその一端側（吊り元側）を扉枠２の吊り元側縦枠にヒンジ３で回動自在に枢着され、図６に示すように室外側へ外開きするようになっている。
図５で、４は扉１を自動的に閉めるためのドアチェック、５は扉枠２の上枠部２ａ下面にボルト及びナット等の締結部材６で固定され開放力付与装置７を内蔵した収納ケースである。前記収納ケース５は、図６に示すように、扉１への対向側が開口された略細長の箱型であって、上板の左右両側には左右両側板より突出したフランジ部が形成されており、該フランジ部にはボルト挿通孔が形成されている。この収納ケース５の上板を扉枠２の上枠部２ａ下面に当て、前記ボルト挿通孔にボルトを挿入し、該ボルトをナットで締め付けて固定する。
【００１０】
開放力付与装置７は、扉１を開放する時に、扉１に対して、人間の力に加え、扉１の開放方向に開放力を付与するものであり、詳しくは本願出願人の出願に係る特願平１１ー２８５２８６号の明細書と図面を参照するとよい。この開放力付与装置７は、一端にギア９を形成して枢支するとともに他端にローラーからなるけり出し部１０を有するアーム８と、アーム８の一端のギア９と噛合するラック１２を有するスライダー１１と、このスライダー１１を介して前記アーム８のけり出し部１０を開扉方向に突出するように付勢する弾機１３とを有している。
【００１１】
スライダー１１は、略Ｔ字状に形成され、両端側には収納ケース５の底板に形成した長孔５ａ、５ｂ内を摺動するピンが固定されており、他方側には前述のラック１２が形成されている。スライダー１１の一端側の鍔部１１ａには引張りバネからなる弾機１３の一端が掛止されているとともに、収納ケース５の底板に固定したピンに前記弾機１３の他端が掛止されている。
【００１２】
また、収納ケース５の収納室には、前述した開放力付与装置７のほかに、扉開放時に開扉方向に回動されたアーム８を閉扉状態における原姿勢に戻す復帰手段１４が設けてある。この復帰手段１４は、モーター１５と、モーター１５の駆動軸に連結したウオームギア等からなるピニオン１６と、前記ピニオン１６に噛合し前記スライダー１１を押動するラック１７とを備えている。
【００１３】
なお、図６において、Ｓ１は扉が閉鎖していることを検知する扉閉確認スイッチ、Ｓ２はアーム８のけり出し部１０により扉１のけり出しが完了したことを検知するけり出し完了検知スイッチ、Ｓ３はアーム８のけり出し部１０により扉１に開放力を与えていること及びけり出し中であることを検知するけり出し中及び開放力付与確認スイッチである。
【００１４】
図５で、２０は本発明に係る扉錠であって、該扉錠２０にはラッチボルトを作動するプッシュ・プル式のハンドル（把手）４０が取り付けてある。
【００１５】
前記扉錠２０は、図５に示すように、扉１の開放端側（自由端側）に取り付けてあって、図１〜図４に示すように、錠ケース２１と、該錠ケース２１に内蔵され、デッドハブ２３の回動により出没されるデッドボルト２２と、ラッチバネ３１により常時突出方向に付勢されたラッチボルト３０と、デッドボルトとラッチボルトの作動状態を検出するスイッチと、該スイッチをオン又はオフさせるスイッチ操作体とを備えている。
【００１６】
錠ケース２１は、錠ケース本体２１ａと錠ケース蓋２１ｂと錠ケースの前板２１ｃとフロント板２１ｄからなり、扉１の開口部に該錠ケース２１を埋設し、錠ケースの前板２１ｃとフロント板２１ｄとの上下両部を扉１の開口部前面にビス２１ｅで固定している。
【００１７】
デッドボルト２２は、前部を箱状に形成するとともに、中程から後端部にかけては上板部を段落しした断面略コ字状に形成し、中程の断面略コ字状部位における下板部には、後述するスイッチ操作体が回動する範囲だけ開口部を設けて、該開口部２２ａの前端部２２ｂと後端部２２ｃとで前記スイッチ操作体の反時計方向または時計方向への回動が規制されるようになっている。また、デッドボルト２２の上板部の後端部には、デッドハブ２３の係合部２３ａが係合してデッドボルト２２を出没（前進または後退）するための被係合部２２ｄ、２２ｅが形成されている。このデッドハブ２３の回動操作は、周知の如く、室外側からシリンダーへのキーの操作により、又は室内側からサムターン２４（図５参照）の操作により、デッドボルト２２を突出（前進）又は没入（後退）させる。なお、２５はクリックバネである。
【００１８】
ラッチボルト３０は、本発明では特に限定しないが、本発明の第１の実施形態では、いわゆる反転式のラッチボルトを用いており、詳しくは本願出願人の出願に係る特開平１０ー３１１１７３号公報を参照するとよい。すなわち、このラッチボルト３０は、図１〜図４では詳細に図示していないが公知のものであり、前部には先端の扉閉じ方向の面を傾斜面とするとともに、扉枠２に取り付けた受部材（ストライキ）の係合孔に係合する面を係合面とした平面形状が略菱形で、後部の上下には対称的に一体形成した膨出部に前後方向に係合溝３０ａ、３０ａを形成し、後端部にはラッチバネ３１の一端を嵌入するための傾斜した嵌合凹部３０ｂを形成している。一方、錠ケース２１の前板２１ｃ及びフロント板２１ｄの出入口２１ｆを臨むように、該出入口２１ｆから錠ケース２１内の後方には断面コ字状のバネ受３２が設けられ、このバネ受３２とラッチボルト３０の嵌合凹部３０ｂ間にはラッチバネ３１を設けている。従って、このラッチバネ３１の付勢力によって前記ラッチボルト３０の前部は、常時は錠ケース２１の出入口２１ｆから出没可能に突出されている。
【００１９】
錠ケース２１内にはラッチボルト３０の施錠時に反転を阻止するための上下一対のロッキングピース３３、３３が、ラッチボルト３０を挟んだ状態で設けてあり、いずれも断面が略コ字状であって、いずれも略中央部を錠ケース２１の側板間に取付柱３４、３４で揺動自在に枢支し、前端部に突出形成した係合片３５、３５がラッチボルト３０の係合溝３０ａ、３０ａに常時係合するようにつる巻きバネ３６で付勢されている。上記係合状態時にはラッチボルト３０は反転が阻止される。
【００２０】
一方のロッキングピース３３の係合片３５が、該ロッキングピース３３を解除方向に揺動（回動）することにより、ラッチボルト３０の係合溝３０ａから離脱されるときに、これに連動して他方のロッキングピース３３の係合片３５もラッチボルト３０の他方の係合溝３０ａから離脱され、該他方のロッキングピース３３も解除方向に揺動されるように、前記一対のロッキングピース３３、３３の略中央部に対向して突設した連結片３７、３７をピン３８で枢支連結してある。連結片３７、３７としては、上部ロッキングピース３３の一辺を少し折り曲げ、該折り曲げ部を下部ロッキングピース３３の断面コ字状部に嵌入して、両連結片３７、３７をピン３８で枢支してある。
【００２１】
両ロッキングピース３３、３３の後端部には係合部３９、３９が形成されており、この係合部３９、３９は、把手４０、４０を支持する座の内部に枢支された作動部材４１、４１の作動部４２によって上下動する縦向き把手用のスライダー４５（第１スライダー４６、第２スライダー４７）の一部に当接しており、把手４０、４０の押し又は引きの操作により作動部材４１を介してスライダー４５が上動または下動してロッキングピース３３、３３を揺動し、ロッキングピース３３、３３の係合片３５、３５をラッチボルト３０の係合溝３０ａ、３０ａから離脱させるように構成してある。
【００２２】
上部のロッキングーピース３３の取付柱３４には、スイッチ操作体５０を構成する第１スイッチ操作体５１及び第２スイッチ操作体５２の基端を同軸上に枢支しており、前記ロッキングーピース３３の揺動に連動してスイッチ操作体５０が同取付柱３４を回動中心として回動する。それによって、錠ケース２１の上部に設けたマイクロスイッチ等のスイッチ６０のアクチュエータ６１を、上記スイッチ操作体５０の先端が押し又は離間させて、該スイッチ６０がオンされ又はオフされる。なお、第１スイッチ操作体５１は最基端部にピン３８を挿入するピン案内孔５３を形成している。
【００２３】
スイッチ６０は、デットボルトとラッチボルトの両方の作動状態を連係して検出するものであり、デッドボルト２２が後退した解錠状態時にはラッチボルト３０の作動を検出し、デッドボルト２２が突出した施錠状態時にはラッチボルト３０の作動を検出しないように設けられている。
また、スイッチ６０は、リード線６２を介して図６に示したけり出し中及び開放力付与確認スイッチＳ３に接続してある。
【００２４】
このスイッチ６０の動作を図１〜図４に基づいて以下に説明する。
【００２５】
（１）  図１は、閉扉状態で、デッドボルトは後退した解錠状態、ラッチボルトは突出した状態である。
このとき、一対のロッキングーピース３３、３３は、係合片３５、３５がつる巻きバネ３６のバネ力により収縮されラッチボルト３０の係合溝３０ａ、３０ａに係合され、ラッチボルト３０の反転を阻止しているとともに、両ロッキングーピース３３、３３の連結片３７、３７が後退して第１スイッチ操作体５１の基端部をピン３８を介して反時計方向に回動する。そのため、第１スイッチ操作体５１の先端は、取付柱３４を支点として反時計方向へ回動しスイッチ６０のアクチュエータ６１を押して、スイッチオフの状態となる。
このとき、第２スイッチ操作体５２の先端はスイッチ６０のアクチュエータ６１とは離間して非接触状態である。
【００２６】
（２）  図２は、閉扉状態で、デッドボルトは後退した解錠状態でラッチボルトは反転して後退可能な状態である。
図１の状態において、プッシュ・プルハンドルである把手４０を押し又は引き操作することによって、図２に示す如く、作動部材４１の作動部４２が第１スライダー４６を上動し第２スライダー４７を下動してロッキングーピース３３、３３を揺動し、ロッキングーピース３３、３３の係合片３５、３５をラッチボルト３０の係合溝３０ａ、３０ａから離脱させて、ラッチボルト３０の反転が可能となってラッチボルト３０が後退可能状態となり、このまま扉１を押し又は引き続けると扉１は一気に開放されて行く。
【００２７】
このとき、両ロッキングーピース３３、３３の連結片３７、３７はピン３８により前進して第１スイッチ操作体５１の基端部をピン３８を介して時計方向に回動する。そのため、第１スイッチ操作体５１の先端は、取付柱３４を支点として時計方向へ回動しスイッチ６０のアクチュエータ６１から離間し、スイッチオンの状態となる。このとき、第２スイッチ操作体５２の先端はスイッチ６０のアクチュエータ６１から離間した非接触状態のままである。
【００２８】
また、把手４０の押し又は引き操作によって、図１の左側の作動部材４１の作動部４２を介して第２スライダー４７を下動することによっても、前述したように、ロッキングーピース３３、３３による係合解除やラッチボルト３０の反転可能状態の保持、スイッチ６０のオン状態の保持等が同様に行なえる。
【００２９】
この図２のスイッチオン状態により、ランプ等の報知手段を介して扉１が開放できることを確実に知ることができる。また、本発明の第１実施形態の使用例を示す図５及び図６の如く、前記スイッチ６０をけり出し中及び開放力付与確認スイッチＳ３に接続することにより、スイッチ６０がオンとなることで、扉を開ける開放力付与装置７を作動させ、扉の開放が軽い力で行なえるようにする扉の開閉装置に適用できる。
【００３０】
すなわち、この扉の開閉装置は、閉扉状態において、老人や障害者等の力の弱い人が開扉する場合、扉錠２０のロックを解錠してから把手４０を把持して、ゆっくりと扉を室外側へ開放して行くと、図６に示すように、アーム８が回動可能となるので、弾機１３の付勢力によってスライダー１１が右方向（開扉方向）へ移動する。このスライダー１１の開扉方向への移動によって、ラック１２とアーム８のギア９との作用で、アーム８は枢軸を回動中心として開扉方向（反時計方向）へ回動され、このアーム８のけり出し部１０が扉１の室内側面を押圧して図６のように扉１が軽快に開放されるものである。つまり、アーム８のけり出し部１０が扉１の室内面を押圧することによって、室外方向への開放力が外開きの扉１に付与されるため、開放初期における扉１の開放力が軽減されることとなって
、このまま扉１を押し続けると扉１は一気に開放されて行く。
【００３１】
（３）  図３は閉扉状態でデッドボルト及びラッチボルトが施錠状態、図４はデッドボルトが施錠状態でラッチボルトが反転して後退可能な状態である。
図１の状態で、シリンダーまたはサムターンを操作してデッドハブ２３を施錠方向へ回動すると、図３に示す如く、デッドハブ２３の係合部２３ａがデッドボルト２２の被係合部２２ｄに係合してデッドボルト２２を施錠方向（図３で左方向）ヘ突出させ施錠状態となる。このデッドボルト２２の施錠方向への移動により、開口部２２ａの後端部２２ｃが第２スイッチ操作体５２の当接部５２ａを前方へ押動するため、第２スイッチ操作体５２の先端はスイッチ６０のアクチュエータ６１を押してスイッチオフの状態となる。このとき、第１スイッチ操作体５１は図１に示す如くアクチュエータ６１を押したスイッチオフの状態のままである。
【００３２】
（４）  図３の如くデッドボルト２２及びラッチボルト３０が施錠状態であるときに、図４に示すように、把手４０を押し又は引き操作することによって、作動部材４１の作動部４２及び第１スライダー４６を上動して、ロッキングーピース３３、３３によるラッチボルト３０の係合を解除してラッチボルト３０の反転を許容し、ラッチボルト３０が解錠可能状態となる（図２参照）。
【００３３】
前述の如く、ロッキングーピース３３、３３がラッチボルト３０に対する係合を解除した状態であるので、第１スイッチ操作体５１の先端は図２に示すようにスイッチ６０のアクチュエータ６１より離間するが、第２スイッチ操作体５２の先端は図３に示した状態でアクチュエータ６１を押し続けたままであるため、スイッチオフの状態である。つまり、この場合は、把手４０でラッチボルト３０が解錠可能状態となっても、デッドボルト２２により施錠されているため扉を開けることができない。
【００３４】
従って、前記スイッチ６０のリード線６２にランプ等の報知手段を接続しておけば、この報知手段を介して開扉できない状態であることを確認することができる。また、この場合、図５及び図６に示した扉の開放力付与装置７もスイッチオフのため作動させることがないので該開放力付与装置を故障から保護することが できる。さらに、図４に示す如く、スイッチオフの状態を保持して必要なときだけスイッチ６０を働かせるので、消費電力の節減に寄与する。
【００３５】
【発明の実施の形態２】
本発明の実施の形態の第２例を図７〜図１０に基づいて以下に説明する。
この実施形態の特徴は、スイッチを２個設けるとともに、スイッチ操作体５０ を１個設けてなる点で、前記第１例の実施形態と異なり、その他の構成は第１例の実施の形態の構造と同様としてなるものである。
【００３６】
すなわち、この場合のスイッチは、第１実施形態のスイッチ６０のほかに、デッドボルト２２の後方位置の錠ケース２１内に配置した第２のスイッチ６５とで、ＡＮＤ回路を構成している。従って、図７の如く、スイッチ６０のアクチュエータ６１を第１スイッチ操作体５１の先端が押しているときはスイッチオフの状態であり、第２のスイッチ６５のアクチュエータ６６をデッドボルト２２の後端部２２ｆが押しているときはスイッチオンの状態であり、両スイッチ６０、６５の接点のオン、オフは逆である。
【００３７】
スイッチ操作体は、第１実施形態の第１スイッチ操作体５１と同一のもの１個であって、第１実施形態の第２スイッチ操作体５２を省略したものである。後者の第２スイッチ操作体５２を省略したため、本実施形態におけるデッドボルト２２には底板部の開口部２２ａの左右両端に形成した前端部２２ｂ及び後端部２２ｃの起立壁をなくしている。
【００３８】
この実施形態のスイッチ６０、６５の動作を図７〜図１０に基づいて以下に説明する。前記第１実施形態の場合と原理的に共通する点があるので、詳しくは前記第１実施形態の場合を参照するとよい。
【００３９】
（１）  図７は、閉扉状態で、デッドボルトは後退した解錠状態でラッチボルトは突出した状態である。
このときは図１の場合を参照するとよい。すなわち、一対のロッキングーピース３３、３３がラッチボルト３０の反転を阻止するとともに、連結片３７、３７の後退によりピン３８を介して第１スイッチ操作体５１の基端部が反時計方向に回動する。それによって、第１スイッチ操作体５１の先端が取付柱３４を支点として反時計方向へ回動しスイッチ６０のアクチュエータ６１を押して、スイッチオフの状態となる。一方、第２のスイッチ６５はアクチュエータ６６がデッドボルト２２の後端部２２ｆで押されてスイッチオンの状態であるが、この両スイッチ６０、６５はＡＮＤ回路であるので全体として電流は流れない。
【００４０】
（２）  図８は、閉扉状態で、デッドボルトは後退した解錠状態でラッチボルトは反転して後退可能な状態である。
このときは図２の場合を参照するとよい。すなわち、図７の状態において、プッシュ・プルハンドルである把手４０を押し又は引き操作することによって、図８に示す如く、作動部材４１の作動部４２が第１スライダー４６を上動し第２スライダー４７を下動してしてロッキングーピース３３、３３を揺動し、ロッキングーピース３３、３３の係合片３５、３５をラッチボルト３０の係合溝３０ａ、３０ａから離脱させて、ラッチボルト３０の反転が可能となってラッチボルト３０が後退可能状態となり、このまま扉１を押し又は引き続けると扉１は一気に開放されて行く。
【００４１】
このとき、両ロッキングーピース３３、３３の連結片３７、３７はピン３８により前進して第１スイッチ操作体５１の基端部をピン３８を介して時計方向に回動する。そのため、第１スイッチ操作体５１の先端は、取付柱３４を支点として時計方向へ回動しスイッチ６０のアクチュエータ６１から離間して、スイッチオンの状態となる。一方、第２のスイッチ６５は、図７の状態のままで、アクチュエータ６６がデッドボルト２２の後端部２２ｆで押されてスイッチオンの状態である。従って、この両スイッチ６０、６５はＡＮＤ回路で両スイッチともオン状態であるので電流が流れる。
【００４２】
また、把手４０を押し又は引き操作によって、図７の左側の作動部材４１の作動部４２を介して第２スライダー４７を下動することによっても、前述したように、ロッキングーピース３３、３３によるラッチボルト３０の係合やラッチボルト３０の反転可能状態の保持、スイッチ６０のオン状態の保持等が右側の作動部材４１と同様に行なえる。
【００４３】
この図８のスイッチオン状態により、ランプ等の報知手段を介して扉１が開放できることを確実に知ることができる。また、第１実施形態の使用例を示す図５及び図６の如く、前記スイッチ６０、６５のリード線６２をけり出し中及び開放力付与確認スイッチＳ３に接続することにより、スイッチ６０、６５がオンとなることで、扉を開ける開放力付与装置７を作動させ、扉の開放が軽い力で行なえるようにする扉の開閉装置に適用できる。
【００４４】
（３）  図９は、閉扉状態でデッドボルト及びラッチボルトが施錠状態、図１０はデッドボルトが施錠状態でラッチボルトが反転して後退可能な状態である。
図７の状態で、シリンダーまたはサムターンを操作してデッドハブ２３を施錠方向へ回動すると、図９に示す如く、デッドハブ２３の係合部２３ａがデッドボルト２２の被係合部２２ｄに係合してデッドボルト２２を施錠方向（図９で左方向）ヘ突出させ施錠状態となる。このデッドボルト２２の施錠方向への移動により、デッドボルト２２の後端部２２ｆが第２のスイッチ６５のアクチュエータ６６から離間するため、第２のスイッチ６５はスイッチオフの状態となる。このとき、スイッチ６０は図７に示す如くアクチュエータ６１を押したスイッチオフ状態のままである。従って、この両スイッチ６０、６５はＡＮＤ回路で両スイッチ６０、６５ともオフ状態であるので電流は流れない。
【００４５】
（４）  図９の如くデッドボルト２２及びラッチボルト３０が施錠状態であるときに、図１０に示すように、把手４０を押し又は引き操作することによって、作動部材４１の作動部４２及び第１スライダー４６を上動して、ロッキングーピース３３、３３によるラッチボルト３０の係合を解除してラッチボルト３０の反転を許容し、ラッチボルト３０が解錠可能状態となる（図８参照）。
【００４６】
このラッチボルト３０が解錠可能状態時には、図１０に示すように、第１スイッチ操作体５１の先端はスイッチ６０のアクチュエータ６１より離間してスイッチオンの状態であり、第２のスイッチ６５の先端は図９に示した状態のままでスイッチオフの状態である。従って、この両スイッチ６０、６５はＡＮＤ回路であるため、その回路には電流は流れない。この場合は、把手４０でラッチボルト３０が解錠可能状態となっても、デッドボルト２２により施錠されているため扉を開けることができない。
【００４７】
従って、前記スイッチ６０、６５のリード線６２にランプ等の報知手段を接続しておけば、この報知手段を介して開扉できない状態であることを確認することができる。また、この場合も、図５及び図６に示した扉の開放力付与装置７もスイッチオフのため作動させることがないので該開放力付与装置を故障から保護することができる。さらに、図１０に示す如く、スイッチオフの状態を保持して必要なときだけスイッチ６０を働かせるので、消費電力の節減に寄与する。
【００４８】
【発明の実施の形態３】
本発明の実施の形態の第３例を図１１〜図１４に基づいて以下に説明する。
この第３実施形態は、第１実施形態のものと比べて、ラッチボルトとしてラッチヘッドが反転しない通常のものを用いるとともに、ラッチボルトの解錠時にラッチボルトを後退する操作部材としてラッチハブを用いて、第１実施形態のロッキングーピース３３やスライダー４６、４７を用いない構造とした点が顕著に異なり、デッドボルト２２、デッドハブ２３、スイッチ６０、第２スイッチ操作体５２などその他の構造は第１実施形態のものと同一あるとともに、第１スイッチ操作体５１は少し形状が異なるだけである。従って、本実施形態は第１実施形態のものを参考にするとよい。
【００４９】
すなわち、この第３実施形態の扉錠は、錠ケース２１にデッドハブ２３の回動により出没されるデッドボルト２２と、ラッチバネ３１により常時突出方向に付勢されたラッチボルト３０と、ハブ孔７１に嵌挿した操作軸７２をノブやレバーハンドル（図示せず）により回動することにより、ラッチボルト３０の後部に形成した被係合部３０ｃに係合部７３を係合してラッチボルト３０を後退できるようにしたラッチハブ７０と、デッドボルト２２を後退した解錠状態時にはラッチボルト３０の作動を検出し、デッドボルト２２を突出した施錠状態時にはラッチボルト３０の作動を検出しないスイッチ６０と、基端を錠ケース２１の側壁間に取付柱３４で枢支されて先端がスイッチ６０のアクチュエータ６１を押し又は離間するようにしたスイッチ操作体５０とを備えてなるものである。
【００５０】
ラッチボルト３０はラッチヘッド３００とラッチ柄３０１で構成されている。ラッチヘッド３００の先端には扉閉じ方向の面を傾斜面とし、ラッチ柄３０１の中程位置には基端を取付柱３４で枢支した第１スイッチ操作体５１の基端側が係入する係合溝（又は係合孔）３０２が形成されているとともに、該ラッチ柄３０１の後端部にはラッチハブ７０の係合部７３を係合してラッチボルト３０を後退するための被係合部３０ｃが形成されている。
【００５１】
スイッチ操作体５０は、前述したように、第１スイッチ操作体５１と第２スイッチ操作体５２で構成され、両スイッチ５１、５２はいずれも基端を取付柱３４で回動自在に枢支しており、各スイッチ５１、５２の動作は第１実施形態のものと同じである。このスイッチ６０の場合も、リード線６２を介して図６に示したけり出し中及び開放力付与確認スイッチＳ３に接続することができる。
【００５２】
この実施形態のスイッチ６０の動作を図１１〜図１４に基づいて以下に説明する。前記第１実施形態の場合と原理的に共通する点があるので、詳しくは前記第１実施形態の場合を参照するとよい。
【００５３】
（１）  図１１は、閉扉状態で、デッドボルトは後退した解錠状態、ラッチボルトは突出した状態である。
このときは図１の場合を参照するとよい。すなわち、ラッチバネ３１のバネ力によりラッチボルト３０が施錠方向に突出することによって、ラッチ柄３０１の係合溝３０２の後端部３０２ｂが第１スイッチ操作体５１の基端部を前方へ押すため、第１スイッチ操作体５１の先端が取付柱３４を支点として反時計方向へ回動しスイッチ６０のアクチュエータ６１を押して、スイッチオフの状態となる。
このとき、第２スイッチ操作体５２の先端はスイッチ６０のアクチュエータ６１とは離間して非接触状態である。
【００５４】
（２）  図１２は、閉扉状態で、デッドボルトは後退した解錠状態でラッチボルトは後退した状態である場合（図１２参照）。
このときは図２の場合を参照するとよい。すなわち、図１１の状態において、ノブやレバーハンドルである把手４０をラッチバネ３１のバネ力に抗して解錠方向に回動することによって、図１２に示す如く、ラッチハブ７０の係合部７３がラッチボルト３０の被係合部３０ｃを後退させてラッチボルト３０を解錠方向へ没入（後退）させる。このとき、第１スイッチ操作体５１の基端がラッチ柄３０１の係合溝３０２の前端部３０２ａにより後退され、このまま扉１を押し又は引き続けると扉１は一気に開放されて行くとともに、第１スイッチ操作体５１の先端は、取付柱３４を支点として時計方向へ回動しスイッチ６０のアクチュエータ６１から離間して、スイッチオンの状態となる。一方、第２スイッチ操作体５２の先端は、図１１の状態のままでアクチュエータ６１から離間したスイッチオン
の状態である。
この図１２のスイッチオン状態により、ランプ等の報知手段を介して扉１が開放できることを確実に知ることができる。また、第１実施形態の使用例を示す図５及び図６の如く、前記スイッチ６０のリード線６２をけり出し中及び開放力付与確認スイッチＳ３に接続することにより、スイッチ６０がオンとなることで、扉を開ける開放力付与装置７を作動させ、扉の開放が軽い力で行なえるようにする扉の開閉装置に適用できる。
【００５５】
（３）  図１３は閉扉状態でデッドボルト及びラッチボルトが施錠状態、図１４はデッドボルトが施錠状態でラッチボルトが後退した状態である。
図１１の状態で、シリンダーまたはサムターンを操作してデッドハブ２３を施錠方向へ回動すると、図１３に示す如く、デッドハブ２３の係合部２３ａがデッドボルト２２の被係合部２２ｄに係合してデッドボルト２２を施錠方向（図１３で左方向）ヘ突出させ施錠状態となる。このデッドボルト２２の施錠方向への移動により、開口部２２ａの後端部２２ｃが第２スイッチ操作体５２の当接部５２ａを前方へ押動するため、第２スイッチ操作体５２の先端はスイッチ６０のアクチュエータ６１を押してスイッチオフの状態となる。このとき、第１スイッチ操作体５１は図１１に示す如くアクチュエータ６１を押したスイッチオフ状態のままである。
【００５６】
（４）  図１３の如くデッドボルト２２及びラッチボルト３０が施錠状態であるときに、図１４に示すように、把手４０を解錠方向へ回動することによって、ラッチハブ７０を介してラッチボルト３０を後退してラッチボルト３０が解錠状態となる（図１４参照）。
【００５７】
このラッチボルト３０が解錠状態時には、図１４に示すように、第１スイッチ操作体５１の先端はスイッチ６０のアクチュエータ６１より離間しているが、第２スイッチ操作体５２の先端は図１３に示した状態のままでアクチュエータ６１を押し続けたままであるためスイッチオフの状態であってその回路には電流は流れない。この場合は、把手４０でラッチボルト３０が解錠状態となっても、デッドボルト２２により施錠されているため扉を開けることができない。
【００５８】
従って、前記スイッチ６０のリード線６２にランプ等の報知手段を接続しておけば、この報知手段を介して開扉できない状態であることを確認することができる。また、この場合、図５及び図６に示した扉の開放力付与装置７もスイッチオフのため作動させることがないので該開放力付与装置を故障から保護することができる。さらに、図１４に示す如く、スイッチオフの状態を保持して必要なときだけスイッチ６０を働かせるので、消費電力の節減に寄与する。
【００５９】
【発明の実施の形態４】
本発明の実施の形態の第４例を図１５に基づいて以下に説明する。
この実施形態の特徴は、第２実施形態と同様に、スイッチを２個設けるとともに、スイッチ操作体を１個設け、更にデッドボルト２２が少し異なる点で、前記第３例の実施形態と異なり、その他の構成は第３例の実施の形態の構造と同様としてなるものである。そのため、図１２〜図１４に相当する図面は省略した。
【００６０】
すなわち、この場合のスイッチは、第２実施形態と同様に、スイッチ６０と、デッドボルト２２の後方位置に配置した第２のスイッチ６５とで、ＡＮＤ回路を構成している。従って、図１５の如く、スイッチ６０のアクチュエータ６１を第１スイッチ操作体５１の先端が押しているときはスイッチオフの状態であり、第２のスイッチ６５のアクチュエータ６６をデッドボルト２２の後端部２２ｆが押しているときはスイッチオンの状態であり、両スイッチ６０、６５の接点のオン、オフは逆である。
【００６１】
スイッチ操作体は、第３実施形態の第１スイッチ操作体５１と同一のもの１個であって、第３実施形態の第２スイッチ操作体５２を省略したものである。後者の第２スイッチ操作体５２を省略したため、本実施形態におけるデッドボルト２２には底板部の開口部２２ａの左右両端に形成した前端部２２ｂ及び後端部２２ｃの起立壁をなくしている。
【００６２】
この実施形態のスイッチ６０、６５の動作は第２実施形態（図７〜図１０）と同様であり、ラッチボルト３０の出没は第３実施形態（図１１〜図１４）と同様であるので、第２実施形態と第３実施形態の場合を参照するとよい。
【００６３】
（１）  図１５は、閉扉状態で、デッドボルトは後退した解錠状態、ラッチボルトは突出した状態である。
このときは図１１と図７の場合を参照するとよい。すなわち、ラッチバネ３１のバネ力によりラッチボルト３０が施錠方向に突出することによって、ラッチ柄３０１の係合溝３０２の後端部３０２ｂが第１スイッチ操作体５１の基端部を前方へ押すため、第１スイッチ操作体５１の先端が取付柱３４を支点として反時計方向へ回動しスイッチ６０のアクチュエータ６１を押して、スイッチオフの状態となる。一方、第２のスイッチ６５はアクチュエータ６６がデッドボルト２２の後端部２２ｆで押されてスイッチオンの状態であるが、この両スイッチ６０、６５はＡＮＤ回路であるので全体として電流は流れない。
【００６４】
（２）  閉扉状態で、デッドボルトは後退した解錠状態、ラッチボルトは後退した解錠状態である場合。
このときは図１２と図８の場合を参照するとよい。すなわち、図１５の状態において、ノブやレバーハンドルである把手４０をラッチバネ３１のバネ力に抗して解錠方向に回動することによって、図１２に示す如く、ラッチハブ７０の係合部７３がラッチボルト３０の被係合部３０ｃを後退させてラッチボルト３０を解錠方向へ没入（後退）させる。このとき、第１スイッチ操作体５１の基端がラッチ柄３０１の係合溝３０２の前端部３０２ａにより後退され、このまま扉１を押し又は引き続けると扉１は一気に開放されて行くとともに、第１スイッチ操作体５１の先端は、取付柱３４を支点として時計方向へ回動しスイッチ６０のアクチュエータ６１から離間して、スイッチオンの状態となる。一方、第２のスイッチ６５は、図１５の状態のままで、アクチュエータ６６がデッドボルト２２の後端部２２ｆで押されてスイッチオンの状態である。従って、この両スイッチ６０、６５はＡＮＤ回路で両スイッチともオン状態であるので電流が流れる。
【００６５】
このスイッチオン状態により、ランプ等の報知手段を介して扉１が開放できることを確実に知ることができる。また、第１実施形態の使用例を示す図５及び図６の如く、前記スイッチ６０、６５のリード線６２をけり出し中及び開放力付与確認スイッチＳ３に接続することにより、スイッチ６０、６５がオンとなることで、扉を開ける開放力付与装置７を作動させ、扉の開放が軽い力で行なえるようにする扉の開閉装置に適用できる。
【００６６】
（３）  閉扉状態でデッドボルト及びラッチボルトが施錠状態である場合。
図１５の状態で、シリンダーまたはサムターンを操作してデッドハブ２３を施錠方向へ回動すると、図９に示す如く、デッドハブ２３の係合部２３ａがデッドボルト２２の被係合部２２ｄに係合してデッドボルト２２を施錠方向（図９で左方向）ヘ突出させ施錠状態となる。このデッドボルト２２の施錠方向への移動により、デッドボルト２２の後端部２２ｆが第２のスイッチ６５のアクチュエータ６６から離間するため、第２のスイッチ６５はスイッチオフの状態となる。このとき、スイッチ６０は図１５に示す如くアクチュエータ６１を押したスイッチオフ状態のままである。従って、この両スイッチ６０、６５はＡＮＤ回路で両スイッチ６０、６５ともオフ状態であるので電流は流れない。
【００６７】
（４）  図１３、図９の如くデッドボルト２２及びラッチボルト３０が施錠状態であるときに、図１４に示すように、把手４０を解錠方向へ回動することによって、ラッチハブ７０を介してラッチボルト３０を後退してラッチボルト３０が解錠状態となる（図１４参照）。
【００６８】
このラッチボルト３０が解錠状態時には、図１０、図１４に示すように、第１スイッチ操作体５１の先端はスイッチ６０のアクチュエータ６１より離間してスイッチオンの状態であり、第２のスイッチ６５の先端は図１０に示した状態のままでスイッチオフの状態である。従って、この両スイッチ６０、６５はＡＮＤ回路であるため、その回路には電流は流れない。この場合は、把手４０でラッチボルト３０が解錠状態となっても、デッドボルト２２により施錠されているため扉を開けることができない。
【００６９】
従って、前記スイッチ６０、６５のリード線６２にランプ等の報知手段を接続しておけば、この報知手段を介して開扉できない状態であることを確認することができる。また、この場合も、図５及び図６に示した扉の開放力付与装置７もスイッチオフのため作動させることがないので該開放力付与装置を故障から保護することができる。さらに、図１０、図１４に示す如く、スイッチオフの状態を保持して必要なときだけスイッチ６０を働かせるので、消費電力の節減に寄与する。
【００７０】
【変形例等】
本発明の使用例としては、図５及び図６に示す如く、本発明に係るスイッチをけり出し中及び開放力付与確認スイッチＳ３に接続することにより、扉を開ける開放力付与装置７を作動させ、扉の開放が軽い力で行なえるようにする扉の開閉装置にしか適用できないものではない。例えば、図２に仮想線で示したように、スイッチ６０のリード線６２に電線１００を介して電源１０１、ブザーやランプ等の警報手段１０２を接続することによって、図３の如くデッドボルト２２及びラッチボルト３０が施錠されているときに、不法侵入者がピッキング等してデッドボルト２２を後退して、図２の如く把手等を操作して侵入しようとすると、図２に示す如くスイッチ６０がオンとなり前記警報手段１０２が作動して不法侵入を告知してくれるので、防犯装置として使用することができる。
【００７１】
このような防犯装置としての使用は、第１実施形態に限らず、第２〜第４の各実施形態にも利用できる。また、本発明はそれ以外の他の使用にも適宜実施できるものである。
【００７２】
スイッチ操作体５０及び該スイッチ操作体５０を作動させる手段は、各実施形態のものに限定されるものでなく、適宜設計変更できる。
また、スイッチ６０、６５の形状、配設位置等も適宜設計変更できるものであり、図示のものに限定されない。
【００７３】
【発明の効果】
本発明の請求項１によれば、前記デットボルトとラッチボルトとは、スイッチ操作体の一端をラッチボルトのロッキングピースまたはラッチ柄の係合溝に接続すると共に、スイッチ操作体の他端をデッドボルトに形成した開口部に係合したスイッチ操作体を介して連係してあり、また、前記スイッチは、デッドボルトが後退した解錠状態時にはラッチボルトの作動を検出し、デッドボルトが突出した施錠状態時にはラッチボルトの作動を検出しないようにしたスイッチを設け、ラッチボルトの作動状態の検出をスイッチ操作体を介してデッドボルトの施解錠状態に連係させているので、従来例に比べて、スイッチの個数を少なくして安価とするとともに、上記スイッチを必要なときだけ働かせることにより消費電力量を節減させるばかりか、スイッチを作動することにより扉を開ける際の開放力付与装置を補助するのに使用したり、前記スイッチに警報手段を接続することにより破錠行為に対する防犯装置に使用したりすることができる。
【００７４】
本発明の請求項２によれば、前記スイッチをけり出し中及び開放力付与確認スイッチに接続したことにより、スイッチがオンになることで、扉を開ける開放力付与装置を作動させ、扉の開放が軽い力で行なえる。
【００７５】
本発明の請求項３によれば、上記請求項１または２の効果に加え、プッシュ・プル式の把手を有する扉錠にも使用することができる。
【００７６】
本発明の請求項４によれば、上記請求項１または２の効果に加え、プッシュ・プル式でないレバーハンドルやノブなどの把手を有する扉錠にも使用することができる。
【図面の簡単な説明】
【図１】  本発明の実施の形態１におけるデッドボルトが解錠状態でラッチボルトが突出状態の開蓋正面図である。
【図２】  デッドボルトが解錠状態でラッチボルトが反転して後退可能な状態の開蓋正面図である。
【図３】  デッドボルト及びラッチボルトが施錠状態の開蓋正面図である。
【図４】  デッドボルトが解錠状態でラッチボルトが反転して後退可能な状態の開蓋正面図である。
【図５】  本発明の扉錠を開放力付与装置つきの外開き扉に取り付けて室内側から見た正面図である。
【図６】  図５の平面図である。
【図７】  本発明の実施の形態２におけるデッドボルトが解錠状態でラッチボルトが突出状態の開蓋正面図である。
【図８】  デッドボルトが解錠状態でラッチボルトが反転して後退可能な状態の開蓋正面図である。
【図９】  デッドボルト及びラッチボルトが施錠状態の開蓋正面図である。
【図１０】  デッドボルトが施錠状態でラッチボルトが反転して後退可能な状態の開蓋正面図である。
【図１１】  本発明の実施の形態３におけるデッドボルトが解錠状態でラッチボルトが突出状態の開蓋正面図である。
【図１２】  デッドボルトが解錠状態でラッチボルトが後退した状態の開蓋正面図である。
【図１３】  デッドボルト及びラッチボルトが施錠状態の開蓋正面図である。
【図１４】  デッドボルトが施錠状態でラッチボルトが後退した状態の開蓋正面図である。
【図１５】  本発明の実施の形態４におけるデッドボルトが解錠状態でラッチボルトが突出状態の開蓋正面図である。
【符号の説明】
１      扉
２      扉枠
７      開放力付与装置
１０    けり出し部
２０    扉錠
２１    錠ケース
２２    デッドボルト
２３    デッドハブ
３０    ラッチボルト
３１    ラッチバネ
３３    ロッキングーピース
３４    取付柱
３５    係合片
３９    係合部
４０    把手
４１    作動部材
４２    作動部
４５    スライダー
５０    スイッチ操作体
５１    第１スイッチ操作体
５２    第２スイッチ操作体
６０    スイッチ
６１    アクチュエータ
６５    第２のスイッチ
６６    アクチュエータ
７０    ラッチハブ
７１    ハブ孔
７２    操作軸
７３    係合部
３００  ラッチヘッド
３０１  ラッチ柄
３０２  係合溝
１０２  警報手段
【図１】
0004414073.tif 000002
【図２】
0004414073.tif 000003
【図３】
0004414073.tif 000004
【図４】
0004414073.tif 000005
【図５】
0004414073.tif 000006
【図６】
0004414073.tif 000007
【図７】
0004414073.tif 000008
【図８】
0004414073.tif 000009
【図９】
0004414073.tif 000010
【図１０】
0004414073.tif 000011
【図１１】
0004414073.tif 000012
【図１２】
0004414073.tif 000013
【図１３】
0004414073.tif 000014
【図１４】
0004414073.tif 000015
【図１５】
0004414073.tif 000016